(57)【要約】【課題】光加入者端末装置およびこれの動作方法を提供する。【解決手段】光加入者端末装置は光分配器を介して光回線終端装置から受信した下りデータの下り光信号強度を測定する光強度測定部と、測定された下り光信号強度に基づいて上り光信号強度を決定する光強度決定部と、決められた上り光信号強度によって生成された上りデータを光分配器を介して光回線終端装置に送信する通信部とを含む。【選択図】図１
2011061790.tif 000002
【特許請求の範囲】
【請求項１】
光分配器を介して光回線終端装置から受信した下りデータの下り光信号強度を測定する光強度測定部と、
前記測定された下り光信号強度に基づいて上り光信号強度を決定する光強度決定部と、
前記決められた上り光信号強度によって生成された上りデータを、前記光分配器を介して前記光回線終端装置に送信する通信部と
を含むことを特徴とする光加入者端末装置。
【請求項２】
光強度決定部は、
前記測定された下り光信号強度と予め設定された下り基準強度を比較して、前記下りデータの損失信号を計算して、予め設定された上り基準強度と前記損失信号とを用いて、前記上り光信号強度を決定することを特徴とする請求項１に記載の光加入者端末装置。
【請求項３】
前記下りデータの光信号を電流信号に変換する電気信号変換部と、
前記電流信号を電圧信号に前置増幅する電力増幅部と、
前記前置増幅された電圧信号をデジタル電圧信号に変換する制限増幅部と
をさらに含むことを特徴とする請求項１に記載の光加入者端末装置。
【請求項４】
前記上りデータを光信号に電光変換する電光変換部をさらに含むことを特徴とする請求項１に記載の光加入者端末装置。
【請求項５】
前記通信部は、
前記下りデータを多重化して受信するか、あるいは前記上りデータを多重化して送信する波長分割多重方式フィルタを含むことを特徴とする請求項１に記載の光加入者端末装置。
【請求項６】
光分配器を介して光回線終端装置から下りデータを受信し、前記受信した下りデータに対する下り光信号強度を測定するステップと、
前記測定された下り光信号強度を用いて前記下りデータに対する損失信号を計算し、前記損失信号に基づいて上り光信号強度を決定するステップと、
前記決められた上り光信号強度によって生成された上りデータを前記光分配器を介して前記光回線終端装置に送信するステップと
を含むことを特徴とする光加入者端末装置の動作方法。
【請求項７】
前記上り光信号強度を決定するステップは、
前記測定された下り光信号強度と予め設定された下り基準強度を比較して前記損失信号を計算し、予め設定された上り基準強度と前記損失信号を用いて前記上り光信号強度を決定するステップを含むことを特徴とする請求項６に記載の光加入者端末装置の動作方法。
【請求項８】
前記下りデータの光信号を電流信号に変換するステップと、
前記電流信号を電圧信号に前置増幅するステップと、
前記前置増幅された電圧信号をデジタル電圧信号に変換するステップと
をさらに含むことを特徴とする請求項６に記載の光加入者端末装置の動作方法。
【請求項９】
前記上りデータを光信号に電光変換するステップをさらに含むことを特徴とする請求項６に記載の光加入者端末装置の動作方法。
【発明の詳細な説明】
【技術分野】
【０００１】
本発明の実施形態は光加入者端末装置およびこれの動作方法に関し、より詳しくは、光回線終端装置が上りデータを一定の光信号強度で受信するように、下りデータに対する下り光信号強度を用いて上りデータに対する上り光信号強度を制御する光加入者端末装置およびこれの動作方法に関するものである。
【背景技術】
【０００２】
次世代通信は、加入者に多くの情報をより早く送信するために家庭まで光回線を設置する光加入者網（Ｆｉｂｅｒ  Ｔｏ  Ｔｈｅ  Ｈｏｍｅ：ＦＴＴＨ）を要求している。しかし、光加入者網は、既存の銅線からなる加入者網を光加入者網に変えるのに多くの費用がかかるという問題点を抱えている。ここで、低費用の光加入者網の構築代案として、受動型加入者網（Ｐａｓｓｉｖｅ  Ｏｐｔｉｃａｌ  Ｎｅｔｗｏｒｋ：ＰＯＮ）の光電送システムが提案されている。
【０００３】
受動型光加入者網光電送システムは、一般に、光回線終端装置、光分配器および光加入者端末装置を含む。ここで、光回線終端装置と光分配器は１つの光回線によって接続され、光分配器と複数の光加入者端末装置は１：Ｎ（Ｎは自然数）のスタートポロジ（ｓｔａｒ  ｔｏｐｏｌｏｇｙ）で接続されることができる。
【０００４】
したがって、光回線終端装置は、下りデータを光分配器を介して１つの光加入者端末装置に送信し、光加入者端末装置から光分配器を介して上りデータを受信することができる。この時、光回線終端装置と、第１光加入者端末装置間の第１経路と、光回線終端装置と、第２光加入者端末装置間の第２経路とは、経路差が発生し、経路差によって第１経路および第２経路で送信されるデータ間の位相、送信強度、損失程度が異なることがある。
【０００５】
結果として、光回線終端装置は、経路差によって複数の光加入者端末装置から受信される上りデータ別に信号の強度が異なることがあり、受信感度が低下することがある。
【発明の概要】
【発明が解決しようとする課題】
【０００６】
本発明の実施形態は、下りデータの損失信号を用いて、上り光信号強度を制御し、制御された上り光信号強度によって生成された上りデータを送信することにより、光回線終端装置が上りデータを一定の光信号強度で受信するようにする光加入者端末装置およびこれの動作方法を提供する。
【課題を解決するための手段】
【０００７】
本発明の実施形態に係る光加入者端末装置は、光分配器（Ｏｐｔｉｃａｌ  Ｓｐｌｉｔｔｅｒ）を介して、光回線終端装置（Ｏｐｔｉｃａｌ  Ｌｉｎｅ  Ｔｅｒｍｉｎａｔｉｏｎ：ＯＬＴ）から受信した下りデータの下り光信号強度を測定する光強度測定部と、前記測定された下り光信号強度に基づいて、上り光信号強度を決定する光強度決定部と、前記決められた上り光信号強度によって生成された上りデータを前記光分配器を介して前記光回線終端装置に送信する通信部を含む。
【０００８】
本発明の実施形態に係る光加入者端末装置の動作方法は、光分配器（Ｏｐｔｉｃａｌ  Ｓｐｌｉｔｔｅｒ）を介して、光回線終端装置（Ｏｐｔｉｃａｌ  Ｌｉｎｅ  Ｔｅｒｍｉｎａｔｉｏｎ：ＯＬＴ）から下りデータを受信して、前記受信した下りデータに対する下り光信号強度を測定するステップと、前記測定された下り光信号強度を用いて前記下りデータに対する損失信号を計算して、前記損失信号に基づいて上り光信号強度を決定するステップと、前記決められた上り光信号強度によって生成された上りデータを前記光分配器を介して前記光回線終端装置に送信するステップとを含む。
【発明の効果】
【０００９】
本発明の実施形態によれば、下りデータの損失信号を用いて、上り光信号強度を制御し、制御された上り光信号強度によって生成された上りデータを送信することにより、光回線終端装置が上りデータを一定の光信号強度で受信するようにできる。
【図面の簡単な説明】
【００１０】
【図１】本発明の一実施形態に係る光加入者端末装置を含む受動型光加入者網光電送システムの構成を示す図である。
【図２】本発明の一実施形態に係る光加入者端末装置の構成を示す図である。
【図３】本発明の一実施形態に係る光加入者端末装置の動作方法を示すフローチャートである。
【発明を実施するための形態】
【００１１】
以下、添付された図を参照しながら本発明の一実施形態に係る光加入者端末装置およびこれらの動作方法について詳細に説明する。
【００１２】
図１は、本発明の一実施形態に係る光加入者端末装置を含む受動型光加入者網光電送システムの構成を示す図である。
【００１３】
図１を参照すれば、受動型光加入者網光電送システム１０１は、光回線終端装置１０３と、光分配器１０５と、光加入者端末装置１０７−１〜１０７−Ｎとを含む。
【００１４】
光回線終端装置１０３は、中央局に位置し、１つの光回線を介して光分配器１０５に下り光信号を送信したり、光分配器１０５から上り光信号を受信してもよい。この時、下り光信号および上り光信号は波長が異なってもよい。
【００１５】
光分配器１０５は、地域国に位置し、複数の光加入者端末装置１０７−１〜１０７−Ｎと１：Ｎ（Ｎは自然数）のスタートポロジに接続してもよい。この時、光分配器１０５は、時分割多重方式によって複数の光加入者端末装置１０７−１〜１０７−Ｎと通信してもよい。
【００１６】
光加入者端末装置１０７−１〜１０７−Ｎは、光加入者端末装置１０７−１〜１０７−Ｎにそれぞれ決められたタイムスロット内で光分配器１０５と通信して、光信号を送受信することができる。ここで、光加入者端末装置１０７−１〜１０７−Ｎは、受信した下りデータの下り光信号強度を測定し、測定された下り光信号強度に基づいて決められた上り光信号強度により上りデータを生成して送信することにより、出力される上りデータの光信号強度を調節することができる。すなわち、光加入者端末装置１０７−１〜１０７−Ｎは、下り光信号強度を用いて下りデータの損失信号を計算し、損失信号を考慮して上りデータの上り光信号強度を調節することによって、光分配器１０５を介して伝えられるため、それによって発生する損失の部分を補完することができる。したがって、光回線終端装置１０３は、光加入者端末装置１０７−１〜１０７−Ｎから一定の光信号強度の上りデータを受信することができる。
【００１７】
図２は、本発明の一実施形態に係る光加入者端末装置の構成を示す図である。
【００１８】
図１および図２を参照すれば、本発明の一実施形態に係る光加入者端末装置１０７−１は、受信データ処理部２０１と、送信データ処理部２０９と、通信部２１９とを含む。
【００１９】
受信データ処理部２０１は、電気信号変換部２０３と、電力増幅部２０５と、制限増幅部２０７とを含む。
【００２０】
電気信号変換部２０３は、例えば、フォトダイオード（Ｐｈｏｔｏ  Ｄｉｏｄｅ：ＰＤ）であってもよく、光分配器１０５を介して光回線終端装置１０３から受信した下りデータの光信号を電流信号に変換してもよい。
【００２１】
電力増幅部２０５は、例えば、トランスインピーダンス増幅器（ＴＩＡ）であってもよく、電気信号変換部２０３から出力された電流信号を電圧信号に前置増幅してもよい。
【００２２】
制限増幅部（ＬＩＡ）２０７は、電力増幅部２０５から出力された電圧信号をデジタル電圧信号に変換して、受信データを出力してもよい。
【００２３】
送信データ処理部２０９は、光強度測定部２１１と、光強度決定部２１３と、電光変換制御部２１５と、電光変換部２１７とを含む。
【００２４】
光強度測定部２１１は、光回線終端装置１０３から受信した下りデータの下り光信号強度を測定する。
【００２５】
光強度決定部２１３は、測定された下り光信号強度に基づいて、上り光信号強度を決定する。すなわち、光強度決定部２１３は、測定された下り光信号強度と予め設定された下り基準強度を比較して、下りデータの損失信号を計算し、予め設定された上り基準強度と損失信号を用いて上り光信号強度を決定してもよい。
【００２６】
例えば、光強度決定部２１３は、予め設定された上り基準強度と損失信号とを合わせて、上り光信号強度を決定してもよい。
【００２７】
電光変換制御部２１５は、例えば、レーザダイオードドライバ（ＬＤＤ）であってもよく、送信データが入力されて、光強度決定部２１３によって決められた上り光信号強度によって送信データを変換して電光変換部２１７に伝達する。
【００２８】
電光変換部２１７は例えば、レーザダイオード（ＬＤ：Ｌａｓｅｒ  Ｄｉｏｄｅ）であってもよく、電光変換制御部２１５から出力された送信データ、すなわち上りデータを光信号に電光変換することができる。
【００２９】
通信部２１９は、光分配器１０５を介して光回線終端装置１０３から光加入者端末装置１０７−１に決められたタイムスロット内で下りデータを受信してもよい。また、通信部２１９は、電光変換部２１７から出力された上りデータを、光加入者端末装置１０７−１に決められたタイムスロット内で光分配器１０５を介して光回線終端装置１０３に送信することができる。ここで、通信部２１９は、下りデータを多重化して受信するか、あるいは上りデータを多重化して送信する波長分割多重方式（ＷＤＭ：Ｗａｖｅｌｅｎｇｔｈ  Ｄｉｖｉｓｉｏｎ  Ｍｕｌｔｉｐｌｅｘｉｎｇ）フィルタを含んでもよい。
【００３０】
図３は、本発明の一実施形態に係る光加入者端末装置の動作方法を示すフローチャートである。
【００３１】
図３を参照すれば、光加入者端末装置は下りデータを受信する（Ｓ３０１）。
【００３２】
すなわち、光加入者端末装置は、光分配器を介して光回線終端装置から下りデータを受信し、受信した下りデータの光信号を電流信号に変換する。以後、光加入者端末装置は、電流信号を電圧信号に前置増幅して、前置増幅された電圧信号をデジタル電圧信号に変換してもよい。
【００３３】
続いて、光加入者端末装置は、受信した下りデータに対する下り光信号強度を測定する（Ｓ３０３）。
【００３４】
すなわち、光加入者端末装置は、デジタル電圧信号に変換された下りデータの強度を測定してもよい。
【００３５】
続いて、光加入者端末装置は、測定された下り光信号強度を用いて、上り光信号強度を決定する（Ｓ３０５）。
【００３６】
具体的に、光加入者端末装置は、測定された下り光信号強度を用いて下りデータに対する損失信号を計算し、損失信号に基づいて上り光信号強度を決定してもよい。例えば、光加入者端末装置は、測定された下り光信号強度と予め設定された下り基準強度を比較し、下りデータの損失信号を計算して、予め設定された上り基準強度と損失信号を用いて、上り光信号強度を決定してもよい。
【００３７】
例えば、光加入者端末装置は、予め設定された上り基準強度と損失信号とを合わせて、上り光信号強度を決定してもよい。
【００３８】
続いて、光加入者端末装置は、決められた上り光信号強度に基づいて、生成された上りデータを送信する（Ｓ３０７）。
【００３９】
すなわち、光加入者端末装置は、送信データが入力されて、決められた上り光信号強度によって上りデータを生成する。以後、光加入者端末装置は、上りデータを光信号に電光変換して、光分配器を介して光回線終端装置に送信する。
【００４０】
本発明の実施形態に係る光加入者端末装置は、下りデータの損失信号を用いて上り光信号強度を制御し、制御された上り光信号強度に基づいて生成された上りデータを送信することによって光回線終端装置が上りデータを一定の光信号強度で受信するようにしてもよい。
【００４１】
なお、本発明に係る方法は、コンピュータにより実現される多様な動作を実行するためのプログラム命令を含むコンピュータ読取可能な記録媒体を含む。当該記録媒体は、プログラム命令、データファイル、データ構造などを単独または組み合わせて含むこともでき、記録媒体およびプログラム命令は、本発明の目的のために特別に設計されて構成されたものでもよく、コンピュータソフトウェア分野の技術を有する当業者にとって公知であり使用可能なものであってもよい。コンピュータ読取可能な記録媒体の例としては、ハードディスク、フロッピー（登録商標）ディスク及び磁気テープのような磁気媒体、ＣＤ−ＲＯＭ、ＤＶＤのような光記録媒体、フロプティカルディスクのような磁気−光媒体、およびＲＯＭ、ＲＡＭ、フラッシュメモリなどのようなプログラム命令を保存して実行するように特別に構成されたハードウェア装置が含まれる。また、記録媒体は、プログラム命令、データ構造などを保存する信号を送信する搬送波を含む光または金属線、導波管などの送信媒体でもある。プログラム命令の例としては、コンパイラによって生成されるような機械語コードだけでなく、インタプリタなどを用いてコンピュータによって実行され得る高級言語コードを含む。前記したハードウェア要素は、本発明の動作を実行するために一以上のソフトウェアモジュールとして作動するように構成することができ、その逆もできる。
【００４２】
上述したように、本発明の好ましい実施形態を参照して説明したが、該当の技術分野において熟練した当業者にとっては、特許請求の範囲に記載された本発明の思想および領域から逸脱しない範囲内で、本発明を多様に修正および変更させることができることを理解することができるであろう。すなわち、本発明の技術的範囲は、特許請求の範囲に基づいて定められ、発明を実施するための最良の形態により制限されるものではない。
【符号の説明】
【００４３】
１０１：光電送システム
１０３：光回線終端装置
１０５：光分配器
１０７：光加入者端末装置
２１１：光強度測定部
２１３：光強度決定部
２１９：通信部
【図１】
2011061790.tif 000003
【図２】
2011061790.tif 000004
【図３】
2011061790.tif 000005